(57)【特許請求の範囲】
【請求項１】
被写体像を撮像する撮像手段と、前記撮像手段により撮像された前記被写体像の画像を表示する画像表示手段と、前記画像表示手段にメニュ−を階層的に提示し、メニュ−項目の手動選択を受け付けるメニュ−提示手段と、前記メニュ−提示手段を介して手動選択されたメニュ−項目に応じて、予め定められた設定動作を実行する設定手段とを備えた電子カメラにおいて、前記メニュ−提示手段は、第１階層のメニュ−に、メニュ−表示言語を、予め定められた特定言語に設定するためのメニュ−項目を提示し、かつ第２階層以下のメニュ−に、メニュ−表示言語を複数言語の中から選択するためのメニュ−項目を提示することを特徴とするメニュ−機能を有する電子カメラ。
【請求項２】
請求項１に記載の電子カメラにおいて、前記メニュ−提示手段は、前記設定手段によりメニュ−表示言語が前記特定言語以外に設定されている場合のみ、第１階層のメニュ−に、メニュ−表示言語を前記特定言語に設定するためのメニュ−項目を提示することを特徴とするメニュ−機能を有する電子カメラ。
【請求項３】
コンピュ−タを、メニュ−を階層的に提示し、メニュ−項目の手動選択を受け付けるメニュ−提示手段と、前記メニュ−提示手段を介して手動選択されたメニュ−項目に応じて、予め定められた手続き動作を実行する実行手段として少なくとも機能させるための「メニュ−機能を有するプログラム」を記録した機械読み取り可能な記録媒体において、前記メニュ−提示手段は、第１階層のメニュ−に、メニュ−表示言語を、予め定められた特定言語に設定するためのメニュ−項目を提示し、かつ、第２階層以下のメニュ−に、メニュ−表示言語を複数言語の中から選択するためのメニュ−項目を提示することを特徴とする記録媒体。
【請求項４】
請求項３に記載の「メニュ−機能を有するプログラム」を記録した機械読み取り可能な記録媒体において、前記メニュ−提示手段は、前記実行手段によりメニュ−表示言語が前記特定言語以外に設定されている場合のみ、第１階層のメニュ−に、メニュ−表示言語を前記特定言語に設定するためのメニュ−項目を提示することを特徴とする記録媒体。
【発明の詳細な説明】
【０００１】
【発明の属する技術分野】
本発明は、メニュー表示の使用言語を切り換え可能にしたメニュー機能の技術に関する。特に、本発明は、メニュー機能を有する電子カメラ、並びに「メニュー機能を有するプログラム」を記録した機械読み取り可能な記録媒体に関する。
【０００２】
【従来の技術】
（電子カメラ）
従来、メニュー機能を利用して種々の設定を行う電子カメラが知られている。このような電子カメラでは、モニタ画面上に提示されるメニュー項目に沿って、カーソル移動と選択という簡単な操作を繰り返すことにより、目的の設定事項に確実かつ直感的に到達することが可能となる。その結果、個々の設定事項について、専用の操作手順などを事前に覚える必要が無くなり、電子カメラの設定操作が一段と簡単になる。
【０００３】
また、メニュー機能により、複雑多岐にわたる設定事項を階層的に整理して提示することもできる。すなわち、使用頻度の高い設定事項については、より上位の階層に提示する。また逆に、使用頻度の低い設定事項については、より下位の階層に提示する。その結果、使用頻度の高い設定事項は、上位の階層から迅速に設定することが可能となる。また、使用頻度の低い設定事項は下位の階層に置かれるため、上位の階層が簡潔かつ解りやすくなる。
【０００４】
ところで、この種の電子カメラでは、操作者の多様な使用言語に対応するため、メニュー表示の使用言語（以下「メニュー表示言語」という）を切り換える機能を有するものが知られている。
従来、このようなメニュー表示言語の切り換え操作も、メニュー機能を介して実行されていた。この場合、メニュー表示言語の切り換えは、使用頻度の低い設定事項に該当するため、必ず下位の階層メニューに提示されていた。
【０００５】
（プログラムを記録した記録媒体）
一方、メニュー機能を具備したコンピュータプログラムが知られている。この種のプログラムでは、操作者が、ポップアップ状に次々提示されるメニュー項目を階層的に辿ることにより、所望の手続き動作を選択実行することが可能となる。しかしながら、この種のコンピュータプログラムにおいて、上記電子カメラのようにメニュー表示言語を切り換えるものは知られていない。
【０００６】
また、ある種のブラウザプログラムなどでは、使用フォントの種類を切り換えることにより、文字コードの種類に合わせてクライアント領域に表示されるフォントを変更する（例えば、マイクロソフト社製「インターネットエキスプローラ」など）。通常、このようなフォント切り換え操作の機能は、第１階層のメニューやツールバーなどに実装されるが、このフォント切り換え操作を使用しても、メニューに表示される言語（単語）の切り換えはなされない。
【０００７】
【発明が解決しようとする課題】
ところで、上述したような電子カメラでは、メニュー機能の利用により、メニュー表示言語を手軽に変更することが可能となる。そのため、操作者が、誤ってメニュー表示言語を切り換えてしまうおそれがある。
一旦、このような事態に陥ると、操作者は、訳の分からない言語が羅列されたメニューを何階層にもわたって辿りながら、メニュー表示言語の設定を正常に戻さなければならない。このような作業は、非常に難解かつ手間のかかる作業であった。
【０００８】
また、メニュー機能を具備したコンピュータプログラムにおいても、メニュー表示言語の切り換え機能を実装する場合、上記した電子カメラと同様の課題が生じる。
【０００９】
請求項１に記載の発明では、メニュー表示言語を誤って変更するおそれを低減し、かつメニュー表示言語を万一誤って変更した場合でも簡単に戻すことが可能な電子カメラを提供することを目的とする。請求項２に記載の発明では、請求項１の目的に加えて、第１階層のメニューを簡潔かつ解りやすく表示する電子カメラを提供することを目的とする。
【００１０】
請求項3に記載の発明では、請求項1の目的と同様に、メニュー表示言語を誤って変更するおそれを低減し、かつメニュー表示言語を万一誤って変更した場合でも簡単に戻すことが可能なプログラムを記録した記録媒体を提供することを目的とする。請求項4に記載の発明では、請求項2の目的と同様に、第１階層のメニューを簡潔かつ解りやすく表示するプログラムを記録した記録媒体を提供することを目的とする。
【００１２】
【課題を解決するための手段】
（請求項１）請求項１に記載の電子カメラは、被写体像を撮像する撮像手段と、撮像手段により撮像された前記被写体像の画像を表示する画像表示手段と、画像表示手段にメニューを階層的に提示し、メニュー項目の手動選択を受け付けるメニュー提示手段と、メニュー提示手段を介して手動選択されたメニュー項目に応じて、予め定められた設定動作を実行する設定手段とを備えた電子カメラにおいて、メニュー提示手段は、第１階層のメニューに、メニュー表示言語を、予め定められた特定言語に設定するためのメニュー項目を提示し、かつ第２階層以下のメニューに、メニュー表示言語を複数言語の中から選択するためのメニュー項目を提示することを特徴とする。
【００１３】
このような構成の電子カメラでは、第１階層のメニューに、メニュー表示言語を特定言語に戻すためのメニュー項目が提示される。そのため、操作者がメニュー表示言語を誤って変更しても、深い階層を辿ることなく、第１階層のメニューからメニュー表示言語の設定を特定言語に戻すことができる。さらに、請求項１の発明では、メニュー表示言語の選択変更を行うためのメニュー項目を第２階層以下に提示する。その結果、メニュー表示言語を不用意に変更してしまう可能性が低くなる。このように２通りのメニュー項目を別個に配置することにより、メニュー表示言語の誤選択を低減することと、メニュー表示言語を正常に戻しやすくすることという、相反する課題を解決することができる。
【００１４】
（請求項２）請求項２に記載の発明は、請求項１に記載の電子カメラにおいて、メニュー提示手段は、設定手段によりメニュー表示言語が特定言語以外に設定されている場合のみ、第１階層のメニューに、メニュー表示言語を特定言語に設定するためのメニュー項目を提示することを特徴とする。
【００１５】
このような構成の電子カメラでは、「特定言語に戻すためのメニュー項目」を必要な場合のみ提示する。したがって、第１階層のメニュー項目が必要以上に多くならず、簡潔かつ解りやすいメニュー表示を実現できる。なお、本願における「提示する」の表現は、メニュー項目を選択可能に表示することを意味する。そのため、上記請求項２には、メニュー表示言語が特定言語以外のときに上記のメニュー項目を選択可能に表示し、それ以外のときは、淡色表示など選択不可能に表示するようなケースも勿論含まれる。また、上記請求項２には、「メニュー表示言語を特定言語に戻すためのメニュー項目」として、「第２階層以下に設けたメニュー表示言語の選択メニューに直に移行するためのメニュー項目」を設けるようなケースも勿論含まれる。
【００１７】
（請求項３）請求項３に記載の記録媒体は、コンピュータを、メニューを階層的に提示し、メニュー項目の手動選択を受け付けるメニュー提示手段と、メニュー提示手段を介して手動選択されたメニュー項目に応じて、予め定められた手続き動作を実行する実行手段として少なくとも機能させるための「メニュー機能を有するプログラム」を記録した機械読み取り可能な記録媒体において、メニュー提示手段は、第１階層のメニューに、メニュー表示言語を、予め定められた特定言語に設定するためのメニュー項目を提示し、かつ第２階層以下のメニューに、メニュー表示言語を複数言語の中から選択するためのメニュー項目を提示することを特徴とする。
【００１８】
このような記録媒体中のプログラムを実行することにより、第１階層のメニューに、メニュー表示言語を特定言語に戻すためのメニュー項目が提示される。そのため、操作者がメニュー表示言語を誤って変更しても、深い階層を辿ることなく、第１階層のメニューからメニュー表示言語の設定を特定言語に戻すことができる。
【００１９】
さらに、請求項３の発明では、メニュー表示言語の選択変更を行うためのメニュー項目を第２階層以下に提示する。その結果、メニュー表示言語を不用意に変更してしまう可能性が低くなる。このように２通りのメニュー項目を別個に配置することにより、メニュー表示言語の誤選択を低減することと、メニュー表示言語を正常に戻しやすくすることという、相反する課題を解決することができる。
【００２０】
（請求項４）請求項４に記載の発明は、請求項３に記載の「メニュー機能を有するプログラム」を記録した機械読み取り可能な記録媒体において、メニュー提示手段は、実行手段によりメニュー表示言語が特定言語以外に設定されている場合のみ、第１階層のメニューに、メニュー表示言語を特定言語に設定するためのメニュー項目を提示することを特徴とする。
【００２１】
このような記録媒体中のプログラムでは、「特定言語に戻すためのメニュー項目」を必要な場合のみ提示する。したがって、第１階層のメニュー項目が必要以上に多くならず、簡潔かつ解りやすいメニュー表示を実現できる。なお、本願における「提示する」の表現は、メニュー項目を選択可能に表示することを意味する。そのため、上記請求項４には、メニュー表示言語が特定言語以外のときに上記のメニュー項目を選択可能に表示し、それ以外のときは、淡色表示など選択不可能に表示するようなケースも勿論含まれる。
【００２２】
また、上記請求項４には、「メニュー表示言語を特定言語に戻すためのメニュー項目」として、「第２階層以下に設けたメニュー表示言語の選択メニューに直に移行するためのメニュー項目」を設けるようなケースも勿論含まれる。
さらに、上記請求項１，２，３，４における「特定言語」は、予め定めた固有の言語であってもよいし、ユーザーが設定操作などを行うことにより特定した言語であってもよい。また、メニュー表示言語の変更履歴に基づいて、メニュー提示手段が、「特定言語」に「過去もしくは前回のメニュー表示言語」を動的設定するようにしてもよい。
【００２３】
【発明の実施の形態】
以下、図面に基づいて本発明における実施の形態を説明する。
【００２４】
（第１の実施形態）図１は、第１の実施形態の構成を示すブロック図である。図１において、撮影光学系１１が、電子カメラの本体内部に設けられる。この撮影光学系１１に並列して、ファインダ光学系１２が設けられる。このファインダ光学系１２の接眼部の近くには、警告表示用のファインダ接眼側ＬＥＤ群１２ａが配置される。
【００２５】
また、撮影光学系１１の像空間側には、ＣＣＤ撮像素子１３の撮像面が配置される。ＣＣＤ撮像素子１３からのアナログ画像信号は、Ａ／Ｄ変換回路１４を介した後、デジタルの画像データとして画像処理回路１５に与えられる。この画像処理回路１５は、画像圧縮処理やモニタ表示用の画像合成処理など、ハードウエアによる画像処理全般を担当する。画像処理回路１５からのモニタ表示用の画像データは、液晶駆動回路（図示せず）を介して液晶モニタ１５ａに表示される。
【００２６】
この画像処理回路１５には、画像処理用ＣＰＵ１６から制御用の信号が与えられる。この画像処理用ＣＰＵ１６には、システムバス１７を介して、上記した画像処理回路１５の画像データバス、およびバッファ用などのメモリ１８、および着脱自在なフラッシュメモリ１９が相互に接続される。この画像処理用ＣＰＵ１６は、画像データのファイル化処理や画像処理回路１５の制御など、ソフトウエアによる画像処理全般を担当する。
【００２７】
さらに、画像処理用ＣＰＵ１６には、シリアル通信端子を介してシステム制御用ＣＰＵ２０が接続される。このシステム制御用ＣＰＵ２０は、ファインダ接眼側ＬＥＤ群１２ａの点灯制御を行う（例えば、電子カメラが画像データをモノクロやセピアなどで記録するモードに設定された場合、システム制御用ＣＰＵ２０は、このファインダ接眼側ＬＥＤ群１２ａを点灯することにより、ファインダの光学像と記録画像との違いを操作者に警告する）。
また、システム制御用ＣＰＵ２０には、電子カメラの筐体部に配置される操作釦群がそれぞれ接続される。システム制御用ＣＰＵ２０は、これらの操作釦群の操作状態に応じて、電子カメラのモード遷移やメニュー選択の動作などを実行する。以下、操作釦群とその代表的な操作用途とを列挙する。
【００２８】
（１）選択ダイアル２１・・「オフモード」，「全自動撮影モード」，「マニュアル撮影モード」，「再生モード」からなる主要な動作モードを切り換え選択するためのダイアルである。
【００２９】
（２）モニタ釦２２・・「画像データと情報表示とを合成してモニタ表示する」，「画像データのみをモニタ表示する」、「液晶モニタ１５ａをＯＦＦ状態にする」からなる液晶モニタ１５ａの表示状態をサイクリックに切り換えるための押し釦である。
【００３０】
（３）メニュー釦２３・・画像の表示状態とメニューの表示状態とを往復するための押し釦である（全自動撮影モード時は、機能せず）。なお、下位のメニュー階層であっても、メニュー釦２３の押圧により速やかに元の動作モードに復帰する。
【００３１】
（４）レリーズ釦２４・・撮影モードではレリーズ釦としての機能を果たす。また、メニュー表示状態では、メニュー選択を決定する機能を果たす。
【００３２】
（５）右ズーム釦２５・・撮影モードでは望遠側のズーム釦としての機能を果たす。また、メニュー表示状態では、メニュー項目のカーソルを上または右へ移動する機能を果たす。
【００３３】
（６）左ズーム釦２６・・撮影モードでは広角側のズーム釦としての機能を果たす。また、メニュー表示状態では、メニュー項目のカーソルを下または左へ移動する機能を果たす。
【００３４】
（７）削除釦２７・・再生モード時に押すと、削除を再確認するための情報表示を行った後、再生表示中の画像ファイル（サムネイル状態ではカーソル位置の画像ファイル）を削除する。なお、再生メニュー中から削除を行う場合は、「全画像ファイルの削除」，「画像ファイルを複数選択して削除」などの多機能な削除モードを選ぶこともできる。
【００３５】
（８）サムネイル釦２８・・再生モード時に、全画面表示とサムネイル表示とを往復するための押し釦である。
【００３６】
（９）複数選択釦２９・・再生モード時に画像ファイルの複数選択を行うための押し釦である。なお、高解像で記録した画像を画面全体に再生表示している場合、この複数選択釦２９を押すことにより、画像処理回路１５は画像の一部を拡大表示する。
次に、本発明の特徴点であるメニュー表示言語の切り換え動作について説明する。
【００３７】
（撮影メニューにおけるメニュー表示言語の切り換え動作）
図２は、撮影メニューの階層構造を示した状態遷移図である。
まず、マニュアル撮影モードの状態において、上記したメニュー釦２３を０．２秒以上押すと、システム制御用ＣＰＵ２０は、画像処理用ＣＰＵ１６に対し、第１階層のメニュー画面１０１を表示するように指示する。画像処理用ＣＰＵ１６は、現在のメニュー表示言語の設定に従って、第１階層のメニュー画面１０１を液晶モニタ１５ａに表示する。
【００３８】
このときの表示画面の仕様を、図３に示す。表示画面には、「露出補正」などの使用頻度の高いメニュー項目と並んで、メニュー表示言語を設定変更するためのメニュー項目「言語（ＬＡＮＧ）」が表示される。
この状態で、操作者は、左ズーム釦２６（右ズーム釦２５）を操作して所望のメニュー項目にカーソルを移動し、レリーズ釦２４を操作して、そのメニュー項目を選択する。
【００３９】
ここで、「言語（ＬＡＮＧ）」がメニュー選択されると、システム制御用ＣＰＵ２０は、第２階層のメニュー画面２５１を液晶モニタ１５ａに表示するように、画像処理用ＣＰＵ１６に指示する。操作者は、このメニュー画面２５１から、メニュー表示言語を適宜に選択する。システム制御用ＣＰＵ２０は、メニュー表示言語の選択結果を記憶した後、マニュアル撮影モードの状態に復帰する。
画像処理用ＣＰＵ１６は、このように記憶したメニュー表示言語の選択結果を、次回以降のメニュー表示に反映する。
【００４０】
（再生メニューにおけるメニュー表示言語の切り換え動作）
図４は、再生メニューの階層構造を示した状態遷移図である。
まず、再生モードの状態においてメニュー釦２３を押すと、システム制御用ＣＰＵ２０は、第１階層のメニュー画面２０１を表示するように、画像処理用ＣＰＵ１６に指示する。画像処理用ＣＰＵ１６は、現在のメニュー表示言語の設定に従って、第１階層のメニュー画面２０１を液晶モニタ１５ａに表示する。
【００４１】
このときの表示画面の仕様を、図５に示す。表示画面には、「サムネイル」などの使用頻度の高いメニュー項目と並んで、メニュー表示言語を設定変更するためのメニュー項目「言語（ＬＡＮＧ）」が表示される。
この状態で、「言語（ＬＡＮＧ）」がメニュー選択されると、システム制御用ＣＰＵ２０は、第２階層のメニュー画面２５１を液晶モニタ１５ａに表示するように、画像処理用ＣＰＵ１６に指示する。操作者は、このメニュー画面２５１から、メニュー表示言語を適宜に選択する。システム制御用ＣＰＵ２０は、メニュー表示言語の選択結果を記憶した後、元の再生モードに復帰する。
【００４２】
画像処理用ＣＰＵ１６は、このように記憶したメニュー表示言語の選択結果を、次回以降のメニュー表示に反映する。
なお、上記したメニュー表示では、カーソルが一定時間おきに点滅する。しかしながら、図４中に示すメニュー画面２３２（スライド再生におけるインターバル秒数の設定画面）では、画像処理用ＣＰＵ１６が、メニュー項目のインターバル秒数に合わせて、カーソルの点滅時間を変化させる。このようなカーソル点滅の制御により、操作者は、インターバル秒数の長さをカーソル点滅からおおよそ判断し、適切なインターバル秒数を確実かつ容易に選択することが可能となる。
【００４３】
（第１の実施形態の効果など）
上述したように、第１の実施形態では、第１階層のメニューに、メニュー表示言語の設定を行うためのメニュー項目が提示される。そのため、誤ってメニュー表示言語を変更してしまった場合でも、深い階層を辿ることなく、第１階層のメニューからメニュー表示言語の再設定を簡単かつ迅速に行うことができる。
【００４４】
なお、上述した第１の実施形態では、第１階層のメニューに、メニュー表示言語を設定するためのメニュー項目を設けているが、これに限定されるものではない。例えば、請求項１に記載するように、第１階層のメニューに、メニュー表示言語を特定言語に戻すためのメニュー項目を提示してもよい。このようなメニュー構成によっても、第１階層メニューからメニュー表示言語を特定言語へすぐに戻すことが可能となる。さらに、特定言語の選択状態では、メニュー表示言語を特定言語に戻すためのメニュー項目を非提示状態に切り換えてもよい。このようなメニュー項目の動的変更により、第１階層メニューを簡潔かつ解りやすく表示することが可能となる。
【００４５】
なおちなみに、図２中に示すメニュー画面１５１では、「フィッシュアイコンバータモード」および「ワイドコンバータモード」の撮影設定を行うことができる。これらの設定は、フィッシュアイコンバートレンズやワイドコンバートレンズを撮影レンズに装着した際に、以下のような適切な撮影設定を一度に選択するモードである。
【００４６】
（Ａ）フィッシュアイコンバータモード
・ズームレンズの焦点距離をワイド端に変更する
・閃光装置の発光を停止する
・フォーカスを無限遠に合わせる
・測光方式を中央重点に設定する
（Ｂ）ワイドコンバータモード
・ズームレンズの焦点距離をワイド端に変更する
・閃光装置の発光を停止する
【００４７】
（第２の実施形態）第２の実施形態は、請求項３，４に記載の発明に対応する「プログラム６１を記録した記録媒体」の発明である。図６は、プログラム６１をコンピュータで実行した場合の動作状態を説明するブロック図である。まず、プログラム６１の実行に際して、コンピュータ上のオペレーティングシステム６０は、所定量の論理メモリ領域を確保し、当該記録媒体から読み出したプログラム６１のコードをその論理メモリ領域に展開する。このコード中には、複数言語ごとに予め作成されるメニューリソースのデータも含まれる。
【００４８】
また、オペレーティングシステム６０からのメッセージを蓄積するためのメッセージキュー６２もこのときメモリ上に確保される。
この状態で、プログラム６１側の実行コードは、オペレーティングシステム６０に対しウインドウの登録作成を要求する。
このウインドウの登録作成中に、オペレーティングシステム６０は、プログラム６１のコード中から、ウインドウ作成に伴う手続き動作を呼び出す。このような呼び出し動作により、プログラム６１側は、日本語のメニューリソースをロードし、メニューバー中に日本語メニューを初期表示する（図６に示すＳ１）。
【００４９】
図７は、このように表示される日本語メニューの一例を示す図である。
第１階層メニュー７２には、「ファイル」，「編集」，「表示」，「ヘルプ」からなるメニュー項目が表示される。このうち、「表示」のメニュー項目を階層的に辿ることにより、第２階層メニュー７３および第３階層メニュー７４がポップアップ状に順次表示される。
【００５０】
この第３階層メニュー７４中には、メニュー表示言語の選択候補が、メニュー項目として羅列される。操作者が、この中から例えば「英語」をメニュー選択すると、オペレーティングシステム６０は、「英語」のメニューＩＤを付与したコマンドメッセージを、メッセージキュー６２中に格納する。
プログラム６１側では、メッセージループ６３を介してこのコマンドメッセージを取り込むと、英語のメニューリソースをロードして、英語メニューを表示する（図６に示すＳ２）。
【００５１】
なお、その他の言語が選択された場合も、図６Ｓ３〜Ｓ５に示すように、プログラム６１側では、同様のメッセージ処理が実行される。
図８は、このように表示される英語メニューの一例を示す図である。
第１階層メニュー７５には、「ＦＩＬＥ」，「ＥＤＩＴ」，「ＶＩＥＷ」，「ＨＥＬＰ」からなる英語のメニュー項目に並んで、日本語メニューに戻るためのメニュー項目「日本語メニュー」が同列に表示される。
【００５２】
操作者が、この「日本語メニュー」を選択すると、オペレーティングシステム６０は、「日本語メニュー」のメニューＩＤを付与したコマンドメッセージを、メッセージキュー６２中に格納する。
プログラム６１側では、メッセージループ６３を介してこのコマンドメッセージを取り込むと、日本語のメニューリソースをロードして、日本語メニューを再び表示する（図６に示すＳ６）。
【００５３】
以上説明したような動作により、第２の実施形態では、日本語以外の第１階層メニュー７５において、メニュー表示言語を日本語に戻すためのメニュー項目が提示される。したがって、誤ってメニュー表示言語を変更した場合でも、深い階層を辿ることなく、第１階層メニュー７５から日本語メニューに迅速に戻すことができる。
【００５４】
さらに、第２の実施形態では、第２階層以下において、メニュー表示言語を選択するので、メニュー表示言語が徒らに変更されるおそれを低くすることができる。
また、第２の実施形態では、日本語によるメニュー表示時に、日本語メニューに戻すためのメニュー項目を省略する。したがって、日本語によるメニュー表示を簡潔かつ解りやすく表示することが可能となる。
【００５５】
なお、上述した第２の実施形態では、英語メニューの第１階層から日本語メニューにすぐに戻る場合の動作について説明したが、下位階層メニューに日本語を選択するためのメニュー項目を別途配置してもよい（図９参照）。
また、上述した第２の実施形態では、特定言語として日本語が設定された場合の動作について説明したが、本発明は、これに限定されるものではない。一般的には、特定言語として、記録媒体の販売国の母国語などを適宜に設定すればよい。
【００５６】
さらに、上述した第２の実施形態では、第１階層にメニュー表示言語を特定言語に戻すためのメニュー項目を設けているが、これに限定されるものではない。例えば、メニュー表示言語の選択を行うためのメニュー項目を第１階層に提示してもよい。このようなメニュー構成によっても、メニュー表示言語を迅速に戻すことが可能となる。
【００５８】
【発明の効果】
（請求項１，３）請求項１，３に記載の発明では、第１階層のメニューに、メニュー表示言語を特定言語に設定するためのメニュー項目が提示される。そのため、誤ってメニュー表示言語が変更された場合でも、深い階層を辿ることなく、第１階層メニューから特定言語への言語設定を簡単かつ迅速に設定することができる。
【００５９】
さらに、請求項１，３に記載の発明では、メニュー表示言語の選択を行うためのメニュー項目が第２階層以下に提示される。したがって、メニュー表示言語を不用意に変更してしまうおそれを確実に低くすることができる。このように言語設定に関して２通りのメニュー項目を別個に配置することにより、メニュー表示言語が徒らに変更されないことと、メニュー表示言語を正常に戻しやすいことという、相反する課題を一度に解決することが可能となる。
【００６０】
（請求項２，４）請求項２，４に記載の発明では、第１階層メニューの選択可能な項目数を必要に応じて増減するので、第１階層のメニューを簡潔かつ解りやすく提示することが可能となる。
【図面の簡単な説明】
【図１】第１の実施形態の構成を示すブロック図である。
【図２】撮影メニューの階層構造を示した状態遷移図である。
【図３】撮影メニューの第１階層の画面仕様を示した図である。
【図４】再生メニューの階層構造を示した状態遷移図である。
【図５】再生メニューの第１階層の画面仕様を示した図である。
【図６】プログラム６１をコンピュータで実行した場合の動作状態を説明するブロック図である。
【図７】第２の実施形態における日本語メニューの一例を、ディスプレー上の中間調画像と組み合わせて示す図である。
【図８】第２の実施形態における英語メニューの一例を、ディスプレー上の中間調画像と組み合わせて示す図である。
【図９】第２の実施形態における英語メニューの一例を、ディスプレー上の中間調画像と組み合わせて示す図である。
【符号の説明】
１１  撮影光学系
１２  ファインダ光学系
１２ａ  ファインダ接眼側ＬＥＤ群
１３  ＣＣＤ撮像素子
１４  Ａ／Ｄ変換回路
１５  画像処理回路
１５ａ  液晶モニタ
１６  画像処理用ＣＰＵ
１７  システムバス
１８  メモリ
２０  システム制御用ＣＰＵ
２１  選択ダイアル
２２  モニタ釦
２３  メニュー釦
２４  レリーズ釦
２５  右ズーム釦
２６  左ズーム釦
２７  削除釦
２８  サムネイル釦
２９  複数選択釦
６０  オペレーティングシステム
６１  プログラム
６２  メッセージキュー
６３  メッセージループ
７３  第２階層メニュー
７４  第３階層メニュー
７５  第１階層メニュー
【図１】
0004051491.tif 000002
【図２】
0004051491.tif 000003
【図３】
0004051491.tif 000004
【図４】
0004051491.tif 000005
【図５】
0004051491.tif 000006
【図６】
0004051491.tif 000007
【図７】
0004051491.tif 000008
【図８】
0004051491.tif 000009
【図９】
0004051491.tif 000010